(57)【要約】      （修正有）【課題】施工期間を短縮し、耐久性及び靭性を高めて道路が損壊することを防ぐことが可能なマット型舗装補修材を提供する。【解決手段】マット型舗装補修材１００は、アスファルトコンクリート層１０、アスファルト油層２０及び離形紙３０を備え、繊維４０が内設されてなるものであり、構造強度が高く、使用寿命が延長されたものである。具体的な構成としては、アスファルトコンクリート層及びアスファルト油層の両方に、あるいは、アスファルトコンクリート層又はアスファルト油層のいずれかに、繊維が設けられる。【選択図】図２
0003200941.tif 000002
【実用新案登録請求の範囲】
【請求項１】
アスファルトコンクリート層、アスファルト油層及び離形紙を備えたマット型舗装補修材であって、
繊維が内設されてなり、構造強度が高く、長期にわたる使用寿命を有することを特徴とするマット型舗装補修材。
【請求項２】
前記アスファルトコンクリート層及び前記アスファルト油層には、前記繊維が設けられることを特徴とする請求項１に記載のマット型舗装補修材。
【請求項３】
前記アスファルトコンクリート層には、前記繊維が設けられることを特徴とする請求項１に記載のマット型舗装補修材。
【請求項４】
前記アスファルト油層には、前記繊維が設けられることを特徴とする請求項１に記載のマット型舗装補修材。
【考案の詳細な説明】
【技術分野】
【０００１】
本考案は、マット型舗装補修材に関するものであり、さらに詳しくは、破損した道路に速やかに貼付け、速やかに道路を修復することが可能なマット型舗装補修材に関するものである。
【背景技術】
【０００２】
一般に、自動車及びオートバイが走行し易いように、道路上にはアスファルトコンクリートが敷設されて平坦かつ強固に形成されるが、道路が長期間、太陽光に晒されたり、雨に濡れたりすると、その上を走行する自動車及びオートバイの重量によりアスファルトコンクリートに小さな亀裂が生じ、直ちに補修しない場合、小さな亀裂が拡大して孔部が形成され、その上を走行する自動車及びオートバイに危険が生じる虞があった。
【０００３】
従来、破損した道路の加熱アスファルトコンクリートを修復する場合、加熱アスファルトコンクリートを取り除き、新たな加熱アスファルトコンクリートを敷設して平らにする方式が採用されるが、このような方式は、時間及びコストが多くかかると共に、破損した面積より大きめにアスファルトコンクリートを取り除かなければならないため無駄が生じる上、加熱アスファルトコンクリートを再び敷設すると、積層により道路の高さが不均一となり、凹凸が生じることがあった。
【０００４】
常温のアスファルトコンクリートの場合、補修作業を行う際に袋から常温アスファルトコンクリートを取出し、破損した道路上に均一に敷設してから押し固める。しかし、このような補修方式は、常温のアスファルトコンクリートと道路との接合力が低く、長期的に道路に貼り合わせることができず、亀裂が再び生じる虞があった。
【０００５】
従来、廃棄材料（例えば、タイヤ、プラスチック、ゴムなど）を効果的に回収して再利用するために、廃棄材料を粉砕して顆粒状の環境汚染防止可能な材料に形成し、アスファルトコンクリート又はアスファルトに混合して弾性を高めるとともに、効果的に環境を汚染防止可能な材料を利用することにより、環境に与える負担を低減させるように対処してきた。
【０００６】
また、市販されているマット型舗装補修材は、アスファルトコンクリート層下にアスファルト油層が塗布され、最終的にアスファルト油層上に離形紙が貼られたものが使用されている。従来のアスファルトコンクリート層は、砕石、アスファルト、環境を汚染しない材料などにより形成され、マット型舗装補修材を使用する際、離形紙を剥し、マット型舗装補修材を路面の亀裂箇所に速やかに貼り付けるが、このような構造のものは、自動車・オートバイにより長期間圧迫されると、マット型舗装補修材上のアスファルトコンクリート層が破損するという問題があった。
【０００７】
上述したような従来のマット型舗装補修材の欠点を改善するために、アスファルトコンクリート層とアスファルト油層との間に形成した繊維層により、マット型舗装補修材の構造強度が高いものを得ることができる。しかし、繊維層は靭性が高いが、長期間経つとアスファルトコンクリート層が破損し、マット型舗装補修材のアスファルトコンクリート層が剥がれ落ちて繊維層が露出されてしまう虞があった。
【考案の概要】
【考案が解決しようとする課題】
【０００８】
従って、本考案の主な課題は、前記の如き問題点に鑑み、施工期間を短縮し、耐久性及び靭性を高めて道路が損壊することを防ぐことが可能なマット型舗装補修材を提供することにある。
【課題を解決するための手段】
【０００９】
そこで、本考案者は、本考案の課題を解決するために鋭意検討を重ねた結果、アスファルトコンクリート層、アスファルト油層のいずれか又は双方に繊維を内設することにより前記課題を解決できることに着目し、かかる知見に基いて本考案に想到するに至った。
かくして本考案によれば、アスファルトコンクリート層、アスファルト油層及び離形紙を備えたマット型舗装補修材であって、繊維が内設されてなり、構造強度が高く、長期にわたる使用寿命を有することを特徴とするマット型舗装補修材が提供される。
【００１０】
また、前記アスファルトコンクリート層及び前記アスファルト油層には、繊維が設けられることが好ましい。
【００１１】
さらに、前記アスファルトコンクリート層には、前記繊維が設けられることが好ましい。
【００１２】
前記アスファルト油層には、前記繊維が設けられることが好ましい。
【考案の効果】
【００１３】
本考案に係るマット型舗装補修材は、前記の通りの構成からなるものであり、高度の構造強度と強靭性を具有すると共に、長期間にわたる使用寿命を有するなど顕著な効果を奏することができる。
【図面の簡単な説明】
【００１４】
【図１】図１は、本考案の第１実施形態に係るマット型舗装補修材を示す分解斜視図である。
【図２】図２は、本考案の第１実施形態に係るマット型舗装補修材を示す部分断面図である。
【図３】図３は、本考案の第１実施形態に係るマット型舗装補修材の使用状態の断面図である。
【図４】図４は、本考案の第２実施形態に係るマット型舗装補修材の使用状態の断面図である。
【図５】図５は、本考案の第３実施形態に係るマット型舗装補修材の使用状態の断面図である。
【考案を実施するための形態】
【００１５】
以下、本考案の実施形態について図面に基づいて説明する。なお、これによって本考案が限定されるものではない。
【００１６】
（第１実施形態）
図１を参照する。図１は、本考案の第１実施形態に係るマット型舗装補修材を示す分解斜視図である。図１に示すように、本考案の第１実施形態に係るマット型舗装補修材のマット型舗装補修材１００は、アスファルトコンクリート層１０、アスファルト油層２０及び離形紙３０を含む。マット型舗装補修材１００中には、繊維４０が設けられる。そのアスファルトコンクリート層１０内には、アスファルト１１、砕石１２及び環境の汚染防止可能な材料１３が含まれる。アスファルト油層２０は、アスファルト２１及び環境の汚染防止可能な材料２２を含む。アスファルトコンクリート層１０下には、アスファルト油層２０が形成され、離形紙３０がアスファルト油層２０に貼り付けられる。マット型舗装補修材１００は、図２に示すように、構造強度を高めるために繊維４０を含み、耐久性が高いため、マット型舗装補修材１００は、強靭性を有して破損及び破裂することを防ぐことができる。
【００１７】
図３に示すように、道路５０の路面に破損及び亀裂５１が生じると、本考案のマット型舗装補修材１００下の離形紙３０を破き、アスファルト油層２０を破損及び亀裂５１の箇所に貼付け、破損及び亀裂５１の箇所を速やかに補修する。マット型舗装補修材１００の設置により、車両が通過する際に発生する圧力を緩和し、道路５０の破損及び亀裂５１が拡大することを防ぎ、補修後の路面を良好な状態に維持することができる。本考案のマット型舗装補修材１００が繊維４０を含むため、マット型舗装補修材１００の強靭性及び構造強度を高めることができる上、マット型舗装補修材１００の使用寿命を延ばして走行の安全性を高めることができる。
【００１８】
本考案の第１実施形態に係るマット型舗装補修材１００の繊維４０は、アスファルトコンクリート層１０及びアスファルト油層２０に設けられる。
【００１９】
（第２実施形態）
図４に示すように、本考案の第２実施形態に係るマット型舗装補修材１００の繊維４０は、アスファルトコンクリート層１０に設けられる。
【００２０】
（第３実施形態）
図５に示すように、本考案の第３実施形態に係るマット型舗装補修材１００の繊維４０は、アスファルト油層２０に設けられる。
【００２１】
本考案に係るマット型舗装補修材１００の繊維４０は、補修材の強靭性を向上できるものであれば、特に限定されるものではなく、植物繊維、鉱物繊維、化学繊維、合成繊維などでもよい。
【符号の説明】
【００２２】
１０  アスファルトコンクリート層
１１  アスファルト
１２  砕石
１３  環境の汚染防止可能な材料
２０  アスファルト油層
２１  アスファルト
２２  環境の汚染防止可能な材料
３０  離形紙
４０  繊維
５０  道路
５１  破損及び亀裂
１００  マット型舗装補修材
【図１】
0003200941.tif 000003
【図２】
0003200941.tif 000004
【図３】
0003200941.tif 000005
【図４】
0003200941.tif 000006
【図５】
0003200941.tif 000007